(57)【特許請求の範囲】
【請求項１】
ディスク状記録媒体を収納するケース体と、
略枠状に形成され、一縁側が前記ディスク状記録媒体の略中央に対して進退する状態で、他縁側が前記ケース体の側縁近傍に回動可能に軸支されるフレームと、
前記ディスク状記録媒体の記録面に対して情報処理をする光ピックアップを保持する移動保持部と、
この移動保持部を前記ディスク状記録媒体の径方向に略沿って移動させる移動用電動モータと、
前記移動用電動モータが設置されるモータ設置部を有し、前記移動用電動モータが前記記録面に対向する状態で前記フレームに設けられたブラケット部と、
前記フレームに設けられ、前記移動保持部の移動をガイドするガイドシャフトと、
板ばねにより形成され、前記フレームが前記ディスク状記録媒体から離れる方向へ回動した際の前記移動保持部の移動をロックするロック部材と、を具備したディスク装置であって、
前記ロック部材は、
前記ケース体内における前記記録面に対向する一面に取り付けられる取付部と、
この取付部に一連に形成された支点部と、
この支点部から突出する形状に形成され、先端側がガイドシャフトに略対向しかつ前記一面に接近した状態で設けられた作用点部と、
前記支点部から突出する形状に形成され、先端側が前記ブラケット部に略対向しかつ前記作用点部の先端側よりも前記一面から離れた状態で設けられた力点部と、
を備え、
前記作用点部は、舌片状に形成され、その長手方向が前記ガイドシャフトの長手方向と略平行となる状態で設けられた
ことを特徴とするディスク装置。
【請求項２】
請求項１に記載のディスク装置であって、
前記作用点部は、先端側が前記ガイドシャフトに接触可能に設けられた
ことを特徴とするディスク装置。
【請求項３】
請求項１または請求項２に記載のディスク装置であって、
前記取付部は、前記作用点部の先端側に設けられた
ことを特徴とするディスク装置。
【請求項４】
請求項１ないし請求項３のいずれかに記載のディスク装置であって、
前記取付部は、かしめにより前記一面に取り付けられる
ことを特徴とするディスク装置。
【発明の詳細な説明】
【技術分野】
【０００１】
本発明は、ピックアップを保持する移動保持部の移動をロックするロック部材を備えたディスク装置に関する。
【背景技術】
【０００２】
従来、ディスク状記録媒体を装置内部に格納可能なディスク装置が知られている。このようなディスク装置は、略箱形状の筐体を有し、この筐体の内部には、いわゆるトラバースメカと称されるディスク処理部が設けられている。トラバースメカは、一端側が筐体の高さ方向に略沿って揺動可能に配設されている。再生・記録状態では、トラバースメカはディスク状記録媒体の記録面と略平行な状態となり、再生・記録処理を実施する。一方、初期状態（シッピング状態）では、トラバースメカの揺動先端側が下方に位置するため、揺動基端側から揺動先端側に下がるような傾斜状態となる。
このようなシッピング状態では、トラバースメカに往復移動可能に設けられた光学ピックアップが輸送時の衝撃や振動によってトラバースメカの揺動先端側に移動してしまい、筐体に接触して筐体を破損したり、筐体とトラバースメカとの狭い隙間に入り込んでしまい、メカロックしてしまうこともあった。さらに、衝撃により光学ピックアップが破損するおそれもあった。そこで、ピックアップの移動をロックする技術が開発されている（例えば、特許文献１参照）。
【０００３】
この特許文献１に記載の光ディスクドライブ装置は、シャフトに沿って摺動可能とされた光学ピックアップを固定する固定手段を備えている。この固定手段は、光学ピックアップが固定されたことを検知する検知手段と、この検知手段の検知信号を受け、装置全体の電源をオフにする制御手段と、を備えている。
このような光ディスクドライブ装置は、電源がオフにされると、光学ピックアップが移動し、所定位置にきたとき、検知手段により検知される。そして、検知手段により出力された信号により、モータが作動し、フックを移動させて光学ピックアップを固定するようになっている。
【０００４】
【特許文献１】特開平８−９６５３０号公報
【発明の開示】
【発明が解決しようとする課題】
【０００５】
しかしながら、上記特許文献１のような構成では、検知手段や、フックを移動させるためのモータ、そして、これらを制御する制御手段を必要とするため、複雑な構成となるおそれがある、という問題が一例として挙げられる。
【０００６】
本発明は、簡単な構成で、ピックアップを安定してロックすることができるディスク装置を提供することを１つの目的とする。
【課題を解決するための手段】
【０００７】
請求項１に記載の発明は、ディスク状記録媒体を収納するケース体と、略枠状に形成され、一縁側が前記ディスク状記録媒体の略中央に対して進退する状態で、他縁側が前記ケース体の側縁近傍に回動可能に軸支されるフレームと、前記ディスク状記録媒体の記録面に対して情報処理をする光ピックアップを保持する移動保持部と、この移動保持部を前記ディスク状記録媒体の径方向に略沿って移動させる移動用電動モータと、前記移動用電動モータが設置されるモータ設置部を有し、前記移動用電動モータが前記記録面に対向する状態で前記フレームに設けられたブラケット部と、前記フレームに設けられ、前記移動保持部の移動をガイドするガイドシャフトと、板ばねにより形成され、前記フレームが前記ディスク状記録媒体から離れる方向へ回動した際の前記移動保持部の移動をロックするロック部材と、を具備したディスク装置であって、前記ロック部材は、前記ケース体内における前記記録面に対向する一面に取り付けられる取付部と、この取付部に一連に形成された支点部と、この支点部から突出する形状に形成され、先端側がガイドシャフトに略対向しかつ前記一面に接近した状態で設けられた作用点部と、前記支点部から突出する形状に形成され、先端側が前記ブラケット部に略対向しかつ前記作用点部の先端側よりも前記一面から離れた状態で設けられた力点部と、を備え、前記作用点部は、舌片状に形成され、その長手方向が前記ガイドシャフトの長手方向と略平行となる状態で設けられたことを特徴としたディスク装置である。
【発明を実施するための最良の形態】
【０００８】
以下、本発明に係る一実施形態のディスク装置について説明する。
【０００９】
〔ディスク装置の構成〕
まず、ディスク装置の構成を図面に基づいて説明する。
図１は、本発明の一実施形態に係るディスク装置の初期状態（シッピング状態）における内部構成を示す平面図である。図２は、本発明の一実施形態に係るディスク装置の初期状態（シッピング状態）における内部構成を示す側面図である。図３は、本発明の一実施形態に係るディスク装置の再生・記録状態における内部構成を示す側面図である。図４は、本発明の一実施形態に係る係合部材を示す斜視図である。
【００１０】
図１において、１００は、本発明の一実施形態に係るディスク装置である。このディスク装置１００は、例えばノート型のパーソナルコンピュータなどの携帯型の電気機器や、車両などに搭載される電気機器などに装着される、いわゆるスロットインタイプと称されるものである。
このディスク装置１００は、ディスク状記録媒体としての光ディスク１０の記録面１１に記録された情報を読み込む読込処理、および記録面１１へ各種情報を記録する記録処理のうち少なくとも一方の情報処理を実施する。
また、このディスク装置１００は、光ディスク１０として、直径８ｃｍの第１のディスク状記録媒体としての小径ディスク１０Ａと、直径１２ｃｍの第２のディスク状記録媒体としての大径ディスク１０Ｂと、を収納することができる。
ここで、このディスク状記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク１０、光磁気ディスク、磁気ディスク、あるいは、これらを貼り合わせた複合ディスクなどの各種構成を例示することができる。
【００１１】
そして、ディスク装置１００は、例えば金属製で内部空間を有する略箱形状のケース体１１０を有している。
このケース体１１０は、図１および図２に示すように、正面および上面が開口する下ケース１１１と、この下ケース１１１の上面を略閉塞する上ケース１１２と、を備えている。
なお、以下において、図１における下方向、上方向、右方向、左方向、紙面の手前方向、紙面の奥方向を、それぞれ正面方向、背面方向、右面方向、左面方向、上面方向、下面方向と適宜称して説明する。
【００１２】
上ケース１１２には、図２に示すように、後述するターンテーブル２２２の上方に、下面側に向けた凹状の押付部１１２Ａが設けられている。この押付部１１２Ａの略中央には、ターンテーブル２２２のテーブル回転軸部２２２Ａよりも大きい径寸法を有する押付孔部１１２Ｂが開口形成されている。
【００１３】
また、ケース体１１０内には、図１に示すように、いわゆるトラバースメカと称されるディスク処理部２００と、処理移動手段３００と、ロック部材３６０と、ディスク処理部２００を移動、例えば回動させる駆動部４００と、光ディスク１０を搬送する搬送手段５００と、が配設されている。
【００１４】
ディスク処理部２００は、略枠状に形成されたフレーム２１０を有している。
このフレーム２１０は、例えば金属板にて平面視で扁平八角形状に形成された長手枠状のフレーム基部２１１を備えている。なお、図１においては、説明を容易に行うために、フレーム基部２１１の一部を切り欠いた図を示している。
フレーム基部２１１の長手方向の一端側には、扁平八角形状の外側に向けて平面視で略コ字状の板状に突出する第１のフレーム取付部２１２が設けられている。また、フレーム基部２１１の長手方向の略中央かつ短手方向の一端側には、扁平八角形状の外側に向けて平面視で略コ字状の板状に突出する第２のフレーム取付部２１３が設けられている。
また、フレーム基部２１１の長手方向の他端側には、背面側および右面側に向けてそれぞれ略棒状に突出する、第１のフレーム係合部２１４と、第２のフレーム係合部２１５と、が設けられている。
【００１５】
そして、フレーム２１０は、図１および図２に示すように、第１，第２のフレーム取付部２１２，２１３がそれぞれ弾性部材２１７を介してねじ部材２１８により下ケース１１１に取り付けられるとともに、第１，第２のフレーム係合部２１４，２１５が後述する第１，第２の移動カム４２０，４３０に係合する状態で下ケース１１１内に配設される。
つまり、フレーム２１０は、第１，第２のフレーム取付部２１２，２１３を含む仮想回動軸Ｃ１を中心に回動可能に、ケース体１１０に軸支されている。
【００１６】
また、このフレーム２１０のフレーム基部２１１には、第１，第２のフレーム係合部２１４，２１５近傍に位置して、ディスク回転駆動手段２２０が配設されている。
ディスク回転駆動手段２２０は、図示しないスピンドルモータと、このスピンドルモータの出力軸に一体的に設けられたターンテーブル２２２と、を備えている。スピンドルモータは、制御回路部に制御可能に接続され、制御回路部から供給される電力により駆動する。ターンテーブル２２２は、下ケース１１１の略中心部に設けられるとともに光ディスク１０を回転可能に保持する。
【００１７】
ターンテーブル２２２は、いわゆるセルフチャック機能を備え、光ディスクを着脱可能に支持すなわち軸支する。
具体的には、ターンテーブル２２２は、図１および図２に示すように、略円柱状に形成されたテーブル回転軸部２２２Ａと、このテーブル回転軸部２２２Ａの外周面にフランジ状に突設された鍔部２２２Ｂと、テーブル回転軸部２２２Ａの周面から突出可能に配設されたテーブル係合部２２２Ｃと、を備えている。
テーブル回転軸部２２２Ａは、光ディスク１０のディスク孔としての軸孔１２に嵌挿されて、光ディスク１０を着脱可能に軸支する。
図３に示すように、鍔部２２２Ｂには、光ディスク１０の軸孔１２の周縁が載置される。テーブル係合部２２２Ｃは、図示しないばねなどの付勢部材による付勢力により、テーブル回転軸部２２２Ａの周面から突出する。そして、光ディスク１０の軸孔１２の周縁に係合し、鍔部２２２Ｂとにより光ディスク１０を挾持、すなわちチャッキングする。
【００１８】
さらに、フレーム２１０には、図１に示すように、情報処理部２３０が配設されている。
情報処理部２３０は、光ディスク１０の径方向に移動可能に設けられた移動保持部２３１を備えている。
この移動保持部２３１には、図示しない光源と、この光源からの光を収束するレンズ２３２と、光ディスク１０で反射された反射光を検出する図示しない光センサとを備えた図示しない光ピックアップが配設されている。この光ピックアップは、光ディスクの記録面に記録された各種情報を読み取って出力回路部へ出力する読取処理や、各種情報を記録面に記録する記録処理を実施する。
【００１９】
処理移動手段３００は、フレーム２１０に一体的に配設されたガイド部３１０と、ステッピングモータなどの移動用電動モータ３２０と、リードスクリュ３３０と、移動用電動モータ３２０およびリードスクリュ３３０の下ケース１１１側に設けられたブラケット部３４０と、を備えている。
ガイド部３１０は、軸方向がフレーム２１０の長手方向に略沿う状態で設けられた第１ガイドシャフト３１１と、処理開口部２０１を介して第１ガイドシャフト３１１と平行に配設された第２ガイドシャフト３１２とを備え、これらの間に架橋する状態で移動保持部２３１が設けられている。この移動保持部２３１の長手方向の一縁には、第１ガイドシャフト３１１が係合可能な断面コ字状のガイドシャフト係合部２３３が設けられている。また、移動保持部２３１の長手方向の他縁には、第２ガイドシャフト３１２が挿通可能なシャフト軸受孔を有する２個のガイドシャフト受部２３４が設けられている。すなわち、移動保持部２３１は、移動経路の両側縁側に設けられた第１ガイドシャフト３１１および第２ガイドシャフト３１２により、ガイドされつつ移動する。
【００２０】
移動用電動モータ３２０は、制御回路部に制御可能に接続され、制御回路部から供給される電力により駆動する。
リードスクリュ３３０は、例えば金属製の細長棒状に形成されて移動用電動モータ３２０に連結され、情報処理部２３０の図示しない移動規制爪部が係合される螺旋状の係合溝が外周面に設けられている。
ブラケット部３４０は、断面略コ字状に形成され、その凹溝に移動用電動モータ３２０およびリードスクリュ３３０が保持されている。
そして、処理移動手段３００は、移動用電動モータ３２０の駆動により回転するリードスクリュ３３０により、第１ガイドシャフト３１１および第２ガイドシャフト３１２に支持された移動保持部２３１を光ディスク１０の径方向に沿って移動させる。
【００２１】
ロック部材３６０は、図４に示すように、移動保持部２３１の移動を規制するものであり、ケース体１１０内において、光ディスク１０の記録面に対向する一面、すなわち下ケース１１１に取り付けられている。ロック部材３６０は、金属製で略長方形状の板ばねを加工することによって形成されている。このロック部材３６０は、下ケース１１１に取り付けられる取付部３６１と、この取付部３６１に一連に形成された支点部３６２と、この支点部３６２から突出する形状に形成され、先端側が第２ガイドシャフト３１２に略対向しかつ下ケース１１１に接近した状態で設けられた作用点部３６３と、支点部３６２から突出する形状に形成され、先端側がブラケット部３４０に略対向しかつ作用点部３６３の先端側よりも下ケース１１１から離れた状態で設けられた力点部３６４と、を備えている。
【００２２】
取付部３６１と支点部３６２との間には、取付部３６１よりも幅の狭い幅狭部３６５が形成されている。
そして、取付部３６１には、下ケース１１１に取り付けられるためのかしめ部３６６が設けられている。
【００２３】
力点部３６４は、略三角形状に形成されている。また、力点部３６４と、取付部３６１および作用点部３６３との角度は、下ケース１１１と第２ガイドシャフト３１２との距離によって適宜設定すればよいが、鈍角に形成されている。そして、支点部３６２と対向する力点部３６４の頂点側には、略半球状に突出した押し子３６７が設けられている。
【００２４】
作用点部３６３は、舌片状に形成され、ロック部材３６０の長手方向に沿って設けられている。作用点部３６３の先端は下ケース１１１の面から離れる方向へ移動可能な状態で設けられている。
また、作用点部３６３は、長手方向に沿って作用点部３６３を補強するために突出した凸部３６８が力点部３６４の押し子３６７と一連に形成されている。
【００２５】
このような構成であれば、作用点部３６３と、力点部３６４とは、支点部３６２を支軸として、揺動可能な状態となる。
また、このロック部材３６０は、作用点部３６３の長手方向と第２ガイドシャフト３１２の長手方向とが平行、かつ、作用点部３６３の先端３６３Ａが第２ガイドシャフト３１２と対向する位置に設けられるとともに、押し子３６７が、ブラケット部３４０と対向する位置に設けられる。
【００２６】
駆動部４００は、例えば図示しない制御回路部に動作制御される図示しない電動モータと、この電動モータの回転駆動を伝達する図示しない駆動伝達部と、この駆動伝達部により伝達される駆動により移動する第１の移動カム４２０と、この第１の移動カム４２０の移動に伴い移動する第２の移動カム４３０と、を備えている。
【００２７】
第２の移動カム４３０は、長手状に形成されている。この第２の移動カム４３０は、フレーム基部２１１の第２のフレーム係合部２１５に対向する位置に配置され、下ケース１１１の左右方向に移動可能に設けられている。
【００２８】
この第２の移動カム４３０の正面には、第２の押付昇降溝（図示しない）が形成されている。この第２の押付昇降溝には、第２のフレーム係合部２１５が係合されている。そして、第２の移動カム４３０が左右方向に移動すると、第２のフレーム係合部２１５が第２の押付昇降溝により上下方向に案内され、フレーム２１０が仮想回動軸Ｃ１を中心に回動する。
【００２９】
駆動部４００を構成する電動モータは、下ケース１１１の正面側かつ右面側に設けられている（図示しない）。駆動伝達部は、例えば複数の図示しないピニオンギアなどを備え、電動モータおよび第１の移動カム４２０の間に設けられている。
【００３０】
第１の移動カム４２０は、長手状に形成されている。この第１の移動カム４２０は、フレーム２１０の第１のフレーム係合部２１４に対向する位置に配置され、下ケース１１１の前後方向に移動可能に設けられている。
【００３１】
また、第１の移動カム４２０の左面における正面側には、ラック４２１が形成されている。このラック４２１は、駆動伝達部を構成するピニオンギアに係合可能に設けられている。
【００３２】
さらに、第１の移動カム４２０におけるラック４２１の背面側には、第１の押付昇降溝４２２が形成されている。この第１の押付昇降溝４２２には、第１のフレーム係合部２１４が係合されている。
また、第１の移動カム４２０の下面における第１の押付昇降溝４２２の背面側には、屈曲箇所を有するカム左右移動溝４２３が形成されている。このカム左右移動溝４２３には、第２の移動カム４３０のカムピン４３２が係合されている。
そして、第１の移動カム４２０が進退すると、第１のフレーム係合部２１４が第１の押付昇降溝４２２により上下方向に案内される。また、第１の移動カム４２０の進退に伴い、カムピン４３２がカム左右移動溝４２３により左右方向に案内される。さらに、この案内に伴い、第２の移動カム４３０が左右方向に移動して、第２のフレーム係合部２１５が上下方向に案内される。そして、第１，第２のフレーム係合部２１４，２１５の上下方向への案内により、フレーム２１０が仮想回動軸Ｃ１を中心に回動し、フレーム２１０の回動先端部が回動基端部よりも下方に位置したシッピング状態と、フレーム２１０と下ケース１１１とが平行に位置した再生・記録状態と、を移行する。
【００３３】
搬送手段５００は、図１に示すように、ケース体１１０内に設けられた、正面側かつ右面側の位置を中心に回動可能なローディングアーム５１０と、正面側かつ左面側の位置を中心に回動可能なサブローディングアーム５２０と、左面側かつ前後方向略中央の位置を中心に回動可能なガイドアーム５３０と、背面側かつ左右方向略中央の位置を中心に回動可能な第１のイジェクトアーム５４０と、第１のイジェクトアーム５４０の回動中心に対して左面側の位置を中心に回動可能な第２のイジェクトアーム５５０と、を備えている。
そして、これらローディングアーム５１０、サブローディングアーム５２０、ガイドアーム５３０、第１のイジェクトアーム５４０、第２のイジェクトアーム５５０は、制御回路部の制御により回動し、光ディスク１０の周縁に当接して、光ディスク１０をケース体１１０に対して搬送入する。
【００３４】
また、図示しない制御回路部は、各種電気部品が搭載された回路基板に回路構成として構成され、ディスク装置１００全体の動作を制御する。
例えば、第１の移動カム４２０を正面側へ、第２の移動カム４３０を左面側へ移動させて、図２に示すようなシッピング状態から、図３に示すような再生・記録状態へ移行させる。また、第１の移動カム４２０を背面側へ、第２の移動カム４３０を右面側へ移動させて、フレーム２１０を図３に示すような再生・記録状態から図２に示すようなシッピング状態へ移行させる。
【００３５】
〔ディスク装置の動作〕
次に、上記ディスク装置１００の動作について説明する。
【００３６】
図１に示すようなケース体１１０内では、光ディスク１０が挿入されていない場合、フレーム２１０はシッピング状態にある。すなわち、フレーム２１０の回動先端側が回動基端側よりも下方に位置した状態にある。
このとき、ロック部材３６０は、移動用電動モータ３２０およびリードスクリュ３３０の下ケース１１１側に設けられたブラケット部３４０によって、押し子３６７が押される。これとともに、作用点部３６３の先端３６３Ａが下ケース１１１の面から離れる方向に移動して第２ガイドシャフト３１２と接触する。したがって、第２ガイドシャフト３１２にガイドされて移動した場合であっても、移動保持部２３１が作用点部３６３の先端３６３Ａと接触することにより、その位置でロックされた状態となる。
【００３７】
そして、ケース体１１０内に、例えば、小径ディスク１０Ａが挿入されると、小径ディスク１０Ａが第１のイジェクトアーム５４０および第２のイジェクトアーム５５０を背面方向へ押し下げ、第１のイジェクトアーム５４０が移動カム４２０を正面方向へ押し出す。
移動カム４２０の移動とともに、移動カム４３０が左方向移動し、これにより、フレーム２１０は上下に回動し、小径ディスク１０Ａをチャッキングした後、再生・記録状態に移行する。この位置で、ディスク処理部２００は小径ディスク１０Ａを回転させ、再生・記録を行う（図３）。
このときは、フレーム２１０が下ケース１１１と平行を保って位置しているので、ブラケット部３４０が押し子３６７に接触しない。したがって、力点部３６４が下ケース１１１から離れた状態となるとともに、作用点部３６３が下ケース１１１に接触した状態となる。
【００３８】
〔ディスク装置１００の作用効果〕
本実施形態のディスク装置１００は、下ケース１１１にロック部材３６０が取り付けられているので、フレーム２１０がシッピング状態となったとき、作用点部３６３の先端３６３Ａが下ケース１１１の面から離れる方向へ移動し、第２ガイドシャフト３１２と接触する。これにより、第２ガイドシャフト３１２にガイドされて移動した場合であっても移動保持部２３１を安定した状態でロックすることができる。
したがって、輸送時などに落下・衝撃等が加わったとしても、情報処理部２３０がフレーム２１０と下ケース１１１との間の狭い場所に入り込むことがない。それ故、情報処理部２３０が破損するなどの不具合の発生を防止することができる。
また、情報処理部２３０が下ケース１１１と接触することを防止することができるので、下ケース１１１の破損も防止することができる。
また、ロック部材３６０は、１枚の金属製の板ばねにより形成されるため、部品点数を少なくすることができる。したがって、安価な材料で簡単に製造でき、製造コストの削減を図ることができる。
さらに、ロック部材３６０の力点部３６４は、ブラケット部３４０と対向する位置に設けられ、フレーム２１０がシッピング状態となった際には、力点部３６４の押し子３６７がブラケット部３４０を押すことになる。
このような精密なディスク装置１００においては、各部品の配置により製品の不具合が発生する可能性が高くなるが、本実施形態では、押し子３６７をブラケット部３４０と接触させるような構成とした。したがって、製品としての性能に影響を与えることがない。
【００３９】
そして、作用点部３６３は、その長手方向が第２ガイドシャフト３１２の長手方向と略平行となる状態で設けられている。このような構成であれば、移動保持部２３１が移動した際、作用点部３６３が、移動保持部２３１の荷重のかかる方向に対して正反対の方向から移動保持部２３１を支持することができる。したがって、安定して移動保持部２３１の移動をロックすることができる。
【００４０】
また、作用点部３６３の先端３６３Ａを第２ガイドシャフト３１２に接触させる構成としたので、フレーム２１０がシッピング状態となったとき、作用点部３６３の先端３６３Ａは、移動してきた移動保持部２３１の一方の端縁側に接触する。なお、移動保持部２３１の中央付近には、レンズや光ピックアップなどの精密な装置が搭載されている。
したがって、作用点部３６３の先端３６３Ａは移動保持部２３１の中央付近に接触しないので、レンズや光ピックアップなどの精密な装置の破損を防止することができる。
【００４１】
本実施形態では、かしめ部３６６は、作用点部３６３の先端３６３Ａ側に設けられている。このような構成であれば、ロック部材３６０に移動保持部２３１から衝撃力がかかった場合でも、かしめ部３６６により、ロック部材３６０は安定する。すなわち、幅狭部３６５は引っ張り方向へ荷重が加わり、座屈等の変形を起こしにくい。したがって、移動保持部２３１を安定してロックすることができる。
【００４２】
そして、ロック部材３６０の支点部３６２に近い側を幅の狭い幅狭部３６５とした。押し子３６７が押されて作用点部３６３が下ケース１１１の面から離れる方向へ移動した状態になったとき、幅狭部３６５にも同方向の力が働く。
例えば、幅狭部３６５の幅を広く形成した場合、幅狭部３６５においてこの力を抑制する力が大きくなり、作用点部３６３を移動させづらい。
しかしながら、本実施形態では、幅狭部３６５の幅を狭く形成しているので、効率よく作用点部３６３を下ケース１１１から離れる方向へ移動させることができる。すなわち、ロック部材３６０にかかる力をバランスよく保持することができる。
【００４３】
また、ロック部材３６０はかしめ部３６６により下ケース１１１に取り付けられているため、ねじなどの部品を必要としない。
したがって、安価な材料で簡単に製造でき、製造コストの削減を図ることができる。
【００４４】
さらに、押し子３６７は力点部３６４の頂点の１箇所に設けられている。このように、押し子３６７を押すことにより力を１点に集中させることができるので、ロック部材３６０を効率よく動作させることができる。
【００４５】
〔本実施形態の変形〕
なお、本発明は、上述した一実施の形態に限定されるものではなく、本発明の目的を達成できる範囲で以下に示される変形をも含むものである。
【００４６】
すなわち、本実施形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【００４７】
また、本実施形態では、作用点部の長手方向がガイドシャフトの長手方向と略平行となる状態に設けられたが、これに限られない。例えば、作用点部の長手方向がガイドシャフトの長手方向に対して垂直方向に設けられてもよいし、斜め方向に設けられてもよい。
【００４８】
さらに、作用点部３６３の先端３６３Ａは、ガイドシャフトに接触可能に設けられなくてもよい。作用点部３６３により移動保持部２３１の移動をロックできる構成であれば特に限定されない。
【００４９】
そして、取付部３６１の位置は、作用点部３６３の先端３６３Ａ側に限られず、取付部３６１を固定できればどの位置に設けてもよい。
【００５０】
また、取付部３６１は、かしめ部３６６によって取り付けられなくてもよい。取付部３６１を下ケース１１１に固定可能であれば特に限定されず、例えば、ねじなどを使用することができる。
【００５１】
また、前記実施形態では、ロック部材３６０を金属製としたが、これに限定されず、例えば、プラスチック製のものも適用することができる。
【００５２】
〔本実施形態の作用効果〕
本実施形態では、ケース体１１０内にロック部材３６０が取り付けられているので、フレーム２１０がシッピング状態となったとき、作用点部３６３が下ケース１１１の面から離れる方向へ移動し、第２ガイドシャフト３１２と接触する。これにより、第２ガイドシャフト３１２にガイドされて移動した場合であっても移動保持部２３１を安定した状態でロックすることができる。
したがって、輸送時などに落下・衝撃等が加わったとしても、移動保持部２３１がフレーム２１０と下ケース１１１との間の狭い場所に入り込むことがない。それ故、移動保持部２３１が破損するなどの不具合の発生を防止することができる。また、移動保持部２３１がケース体１１０と接触することを防止することができるので、ケース体１１０の破損も防止することができる。
【図面の簡単な説明】
【００５３】
【図１】ディスク装置の初期状態（シッピング状態）における内部構成を示す平面図である。
【図２】前記実施の形態におけるディスク装置の初期状態（シッピング状態）における内部構成を示す側面図である。
【図３】前記実施の形態におけるディスク装置の再生・記録状態における内部構成を示す側面図である。
【図４】前記実施の形態における係合部材を示す斜視図である。
【符号の説明】
【００５４】
１００  …ディスク装置
１１１  …下ケース
２００  …ディスク処理部
２１０  …フレーム
３００  …処理移動手段
３６０  …ロック部材
３６１  …取付部
３６２  …支点部
３６３  …作用点部
３６４  …力点部
３６７  …押し子
４００  …駆動部
５００  …搬送手段
【図１】
0004848328.tif 000002
【図２】
0004848328.tif 000003
【図３】
0004848328.tif 000004
【図４】
0004848328.tif 000005